(57)【要約】【課題】透光表示体の配置の自由度を高めることが可能な遊技機の提供を目的とする。【解決手段】  本発明に係る遊技機１０は、板状光伝達部材５１の前面に透光表示体５２を重ねて備え、板状光伝達部材５１の側方で板厚面５１Ｍに対向した位置に、発光素子６０を実装した電飾基板６１を備えている。そして、発光素子６０から出射された光が板状光伝達部材５１の板厚面５１Ｍに入射して板状光伝達部材５１の内部を伝達することで、透光表示体５２を照射するように構成されている。【選択図】図１１
2013106651.tif 000002
【特許請求の範囲】
【請求項１】
光透過性を有する光透過表示部を備えた遊技機において、
前記光透過表示部の周囲に形成された収納空間部と、
前記収納空間部内で、前記光透過表示部の側方で近接した位置に配置された遊技構成体と、
前記遊技構成体の側方でかつ前記光透過表示部の側方で近接した位置に配置され、光を出射可能な発光素子とを備え、
前記光透過表示部は、前記発光素子の光を伝達可能に形成された光伝達部材と、前記光伝達部材に設けられた透光表示体とから少なくとも構成され、
前記発光素子は、出射した光が前記光伝達部材の入射部に入射されて前記光伝達部材内を伝達し、前記透光表示体を照射するように配置されたことを特徴とする遊技機。
【請求項２】
前記光伝達部材には、前記光伝達部材の内部を伝達して前記透光表示体と反対側へ向かう光を前記透光表示体へ向けて反射可能な反射部が設けられたことを特徴とする請求項１に記載の遊技機。
【請求項３】
前記反射部は、前記光伝達部材のうち前記透光表示体に形成された表示部側と反対側の面に設けられた反射部材であることを特徴とする請求項２に記載の遊技機。
【請求項４】
互いに異なる方向に指向性を有する光を出射可能な複数の前記発光素子を、前記遊技構成体の側方でかつ前記光透過表示部の側方で近接した異なる複数の位置に配置したことを特徴とする請求項１乃至３のうち何れか１の請求項に記載の遊技機。
【請求項５】
前記発光素子を実装した少なくとも１つの電飾基板を備え、
前記電飾基板を、前記透光表示体と前記遊技構成体とを結ぶ直線に対して前記透光表示体側に向けて傾斜させたことを特徴とする請求項１乃至４のうち何れか１の請求項に記載の遊技機。
【請求項６】
前記透光表示体は、表示部が形成された表示面を備え、
前記遊技構成体は、前記表示面に沿って前記透光表示体から所定の間隔をおいた位置に配置され、
前記発光素子は、前記遊技構成体のうち前記透光表示体に近接した部分を除いた部分の側方に配置され、
前記光伝達部材は、前記表示面に沿って前記透光表示体に近接した位置から前記発光素子に近接した位置に亘って形成され、
前記入射部は、前記光伝達部材のうち前記発光素子に近接した部分に配置されたことを特徴とする請求項１乃至５のうち何れか１の請求項に記載の遊技機。
【発明の詳細な説明】
【技術分野】
【０００１】
本発明は、光透過性を有する透光表示体に光を照射して演出を行う遊技機に関する。
【背景技術】
【０００２】
従来、この種の遊技機として、透光表示体の裏側に光源が配置されたものが知られている（例えば、特許文献１）。
【先行技術文献】
【特許文献】
【０００３】
【特許文献１】特開２００７−３０１２８２号公報（［００１８］、図３）
【発明の概要】
【発明が解決しようとする課題】
【０００４】
しかしながら、上述した従来の遊技機では、透光表示体の裏側にスペースが必要であるため、透光表示体の配置の自由度が低いという問題があった。
【０００５】
本発明は、上記事情に鑑みてなされたもので、透光表示体の配置の自由度を高めることが可能な遊技機の提供を目的とする。
【課題を解決するための手段】
【０００６】
上記目的を達成するためになされた請求項１の発明に係る遊技機は、光透過性を有する光透過表示部を備えた遊技機において、光透過表示部の周囲に形成された収納空間部と、収納空間部内で、光透過表示部の側方で近接した位置に配置された遊技構成体と、遊技構成体の側方でかつ光透過表示部の側方で近接した位置に配置され、光を出射可能な発光素子とを備え、光透過表示部は、発光素子の光を伝達可能に形成された光伝達部材と、光伝達部材に設けられた透光表示体とから少なくとも構成され、発光素子は、出射した光が光伝達部材の入射部に入射されて光伝達部材内を伝達し、透光表示体を照射するように配置されたところに特徴を有する。
【０００７】
請求項２の発明は、請求項１に記載の遊技機において、光伝達部材には、光伝達部材の内部を伝達して透光表示体と反対側へ向かう光を透光表示体へ向けて反射可能な反射部が設けられたところに特徴を有する。
【０００８】
請求項３の発明は、請求項２に記載の遊技機において、反射部は、光伝達部材のうち透光表示体に形成された表示部側と反対側の面に設けられた反射部材であるところに特徴を有する。
【０００９】
請求項４の発明は、請求項１乃至３のうち何れか１の請求項に記載の遊技機において、互いに異なる方向に指向性を有する光を出射可能な複数の発光素子を、遊技構成体の側方でかつ光透過表示部の側方で近接した異なる複数の位置に配置したところに特徴を有する。
【００１０】
請求項５の発明は、請求項１乃至４のうち何れか１の請求項に記載の遊技機において、発光素子を実装した少なくとも１つの電飾基板を備え、電飾基板を、透光表示体と遊技構成体とを結ぶ直線に対して透光表示体側に向けて傾斜させたところに特徴を有する。
【００１１】
請求項６の発明は、請求項１乃至５のうち何れか１の請求項に記載の遊技機において、透光表示体は、表示部が形成された表示面を備え、遊技構成体は、表示面に沿って透光表示体から所定の間隔をおいた位置に配置され、発光素子は、遊技構成体のうち透光表示体に近接した部分を除いた部分の側方に配置され、光伝達部材は、表示面に沿って透光表示体に近接した位置から発光素子に近接した位置に亘って形成され、入射部は、光伝達部材のうち前記発光素子に近接した部分に配置されたところに特徴を有する。
【発明の効果】
【００１２】
［請求項１の発明］
請求項１の発明では、光透過表示部の側方に配置された発光素子の光が光伝達部材に入射して光伝達部内を伝達し、透光表示体を照射する。本発明によれば、透光表示体の裏側に発光素子を配置するスペースを形成する必要性が少なくなり、透光表示体の配置の自由度を高めることが可能になる。また、透光表示体の側方に遊技構成体が配置される場合であっても、その遊技構成体と干渉しないように発光素子を配置することが可能になる。
【００１３】
［請求項２の発明］
請求項２の発明によれば、光伝達部材から入射した光のうち透光表示体と反対側に向かう光を透光表示体に向けて反射させることができるので、透光表示体を照射する光の光量を増やすことが可能になる。
【００１４】
［請求項３の発明］
請求項３の発明によれば、光伝達部材のうち透光表示体と反対側の面から光が漏れることが抑制可能である。
【００１５】
［請求項４の発明］
請求項４の発明によれば、遊技構成体の側方で近接した異なる複数位置のうち、一の位置に配置された発光素子では透光表示体全体を照射することができない場合であっても、その照射されていない部分を一の位置とは異なる他の位置に配置された発光素子によって照射することが可能になる。
【００１６】
［請求項５の発明］
請求項５の発明によれば、発光素子が出射する光の指向性を電飾基板により調整することが可能になる。また、透光表示体側に向けて傾斜させたことにより、予め定められた収納空間部内に電飾基板を配置することが可能であり、かつ透光表示体を光らせることが可能である。
【００１７】
［請求項６の発明］
請求項６の発明によれば、透光表示体の表示面に沿って遊技構成体と発光素子と光伝達部材とを配置することが可能であり、透光表示体と発光素子との間隔が空いている場合においても光伝達部材を介して表示面を照射することが可能である。
【図面の簡単な説明】
【００１８】
【図１】本発明の一実施形態に係る遊技機の正面図
【図２】遊技板の正面図
【図３】裏セット盤の正面図
【図４】裏セット盤の背面図
【図５】裏セット盤の前方斜視図
【図６】可動演出装置の一部を取り外した状態の裏セット盤の前方斜視図
【図７】流下規制装置を取り付けた状態の裏セット盤の前方斜視図
【図８】流下規制装置を取り付けた状態の裏セット盤の正面図
【図９】流下規制装置周辺を下方から見た斜視図
【図１０】流下規制装置周辺を上方から見た斜視図
【図１１】光透過表示部、電飾基板及び流下規制装置の前方斜視図
【図１２】光透過表示部、電飾基板及び流下規制装置の正面図
【図１３】光透過表示部、電飾基板及び流下規制装置の背面図
【図１４】板状光伝達部材の側断面図
【図１５】変形例に係る光透過表示部、電飾基板及び流下規制装置の正面図
【図１６】（Ａ）変形例に係る流下規制装置周辺の正面図、（Ｂ）変形例に係る流下規制装置周辺の正面図
【図１７】変形例に係る板状光伝達部材の側断面図
【発明を実施するための形態】
【００１９】
以下、本発明を適用した遊技機１０に係る一実施形態を、図１〜図１４に基づいて説明する。図１に示すように、遊技板１１の前面には、ガイドレール１２で囲まれたほぼ円形の遊技領域Ｒ１が形成されている。
【００２０】
遊技板１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられ、ガラス窓１０Ｗの上方の両側には、スピーカ２５，２５が備えられている。また、ガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球が遊技領域Ｒ１に向けて弾き出される。
【００２１】
図２に示すように、遊技板１１のうち遊技領域Ｒ１の中央には、異形の遊技板表示窓１１Ｈが貫通形成されており、その遊技板表示窓１１Ｈに遊技板１１の裏面側から表示装置３０が対向している。表示装置３０は、液晶モジュール（例えば、ＴＦＴ−ＬＣＤモジュール）で構成され、その表示画面３０Ｇが、遊技板１１の奥側に配置されている。
【００２２】
遊技板１１の前面中央には、表示画面３０Ｇを囲むように表示装飾枠２３が取り付けられている。表示装飾枠２３は、遊技板１１の前面側から遊技板表示窓１１Ｈに嵌め込まれ、遊技板表示窓１１Ｈの内側に張り出すと共に、遊技板１１の前面から突出している。そして、遊技領域Ｒ１を流下する遊技球が、表示装飾枠２３の外側を通過して表示装飾枠２３の内側に進入しないように構成されている。
【００２３】
遊技領域Ｒ１のうち表示装飾枠２３の下方における左右方向の中央部には、第１始動入賞口１４Ａ，第２始動入賞口１４Ｂ及びアウト口１６が、上から順に間隔を開けて並べて設けられている。第２の始動入賞口１４Ｂの左側には、ガイドレール１２に沿って一般入賞口２０が複数設けられている。また、表示装飾枠２３の左側には、風車１９が設けられている。表示装飾枠２３の右側下方には、始動ゲート１８及び大入賞口１５が、上から順に並べて設けられている。大入賞口１５の右側には、サイド入賞口２１が設けられている。また、図示しないが、遊技領域Ｒ１には多数の障害釘が植設されている。
【００２４】
遊技領域Ｒ１の各部位についてさらに詳説する。始動ゲート１８は、遊技球が潜って通過可能な門形構造をなしている。始動ゲート１８を遊技球が通過すると当否判定が行われる。その当否判定の結果は、表示装置３０の表示画面３０Ｇ或いは、表示装置３０とは別の表示装置（図示せず）にて表示される。例えば、当たり（以下、「小当たり」という）の場合は「○」が表示され、外れの場合は「×」が表示される。
【００２５】
第１始動入賞口１４Ａ及び第２始動入賞口１４Ｂは、遊技板１１の前面から突出した部材の上面に遊技球が１つずつ入賞可能な開口を備えた、所謂、ポケット構造をなしている。
【００２６】
第２始動入賞口１４Ｂの開口の左右両側には可動翼片１４Ｃ，１４Ｃが備えられている。これら両可動翼片１４Ｃ，１４Ｃは、常には起立状態になっている。このとき両可動翼片１４Ｃ，１４Ｃに挟まれた始動入賞口１４の開口幅は、遊技球が１つだけ入る大きさとなっている。そして、上述した「小当たり」となった場合に可動翼片１４Ｃ，１４Ｃが所定期間に亘って横に倒される。すると、すると、第２始動入賞口１４Ｂの両脇を流下する遊技球が可動翼片１４Ｃに受け止められて第２始動入賞口１４Ｂに案内されるようになって第２始動入賞口１４Ｂに入賞し易くなる。
【００２７】
また、第１始動入賞口１４Ａ又は第２始動入賞口１４Ｂに遊技球が入賞すると、例えば、１個の入賞につき４個の遊技球が上皿２６に払い出されると共に当否判定が行われる。その判定結果は、表示装置３０にて表示される。
【００２８】
具体的には、表示装置３０には、例えば、「０」〜「１１」の数字を表記した複数種類のもので構成された３つの左、中、右の特別図柄３２Ａ，３２Ｂ，３２Ｃが横並びに停止表示されている。そして、第１始動入賞口１４Ａ又は第２始動入賞口１４Ｂに遊技球が入賞したときに、これら３つの特別図柄３２Ａ，３２Ｂ，３２Ｃが、上下方向にスクロール表示され、所定時間後に、例えば、左、右、中の順で各特別図柄が停止表示される。各始動入賞口１４Ａ，１４Ｂへの入賞に起因した当否判定結果が当たり（以下、「大当たり」という）の場合には、３つの特別図柄が全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００２９】
大入賞口１５は横長矩形状をなしており、通常の遊技状態では、可動扉１５Ｔにて閉塞されている。そして、「大当たり状態」になると、図１に示すように可動扉１５Ｔが所定期間に亘って前側に倒される。すると、大入賞口１５が前方に開放し、可動扉１５Ｔを案内にして大入賞口１５に多くの遊技球が入賞可能となる。
【００３０】
大入賞口１５に遊技球が入賞すると、例えば、１個の入賞につき１５個の遊技球が上皿２６に払い出される。
【００３１】
サイド入賞口２１及び一般入賞口２０，２０に遊技球が入賞した場合も、１個の入賞につき所定複数個の賞球が上皿２６に払い出される。
【００３２】
上述した各入賞口１４Ａ，１４Ｂ，１５，２０，２１の何れにも入賞しなかった遊技球は、遊技領域Ｒ１の下端に配置されたアウト口１６に全て取り込まれる。
【００３３】
表示装飾枠２３は、中央に開口部を備え、前面が、表示装置３０で行われる表示演出に対応したデザイン形状をなしている。表示装飾枠２３の下辺中央の裏側には、本発明に係る可動演出装置７０が備えられている。
【００３４】
図３に示すように、可動演出装置７０は、遊技板１１の裏側に重ねて固定された裏セット盤４０に取り付けられている。裏セット盤４０は、遊技板１１の裏面と対向した主板壁４１と、その外縁部から前方に起立した囲壁４２とを有し、前後方向で扁平な箱形構造をなしている（図５参照）。囲壁４２の四隅には、その前端縁から側方に張り出した複数の鍔壁４３，４３が一体形成され、それら鍔壁４３，４３が遊技板１１の裏面に宛われて固定されている。
【００３５】
裏セット盤４０の中央部分には、主板壁４１を貫通した矩形の裏表示窓４４が形成されている。裏表示窓４４には、裏セット盤４０の後方から表示装置３０が嵌め込まれており、主板壁４１の前面と表示画面３０Ｇとが略面一に配置されている。そして、可動演出装置７０は、裏セット盤４０の主板壁４１のうち、裏表示窓４４の下方に取り付けられている。なお、裏表示窓４４より下方で遊技板１１と裏セット盤４０とに挟まれた空間が本発明の「収納空間部」に相当する。
【００３６】
図２に示すように、表示装飾枠２３の上辺の左側位置には、遊技領域Ｒ１を流下する遊技球を可動演出装置７０へ誘導するための上回動扉２２が備えられている。上回動扉２２は、常には起立し、「特定の遊技状態」となったときに下端部を中心として左側に回動して横倒しになり、上入球口２２Ａへ遊技球を受け入れ可能な状態となる。そして、上入球口２２Ａに入球した遊技球は、表示装飾枠２３の左側辺に沿って上下に延びた図示しないワープ路を通って可動演出装置７０へと誘導され、可動演出装置７０による演出が行われる。即ち、可動演出装置７０は、遊技が「特定の遊技状態」となったときに演出を行う。
【００３７】
図５に示すように、可動演出装置７０は、上記した図示しないワープ路の下端部に連絡した球誘導路７２を有している。球誘導路７２は、ワープ路との連絡部分から奥側へ延びた後、右側へ曲がって下るように延び、先端部に前面開口７２Ａを備えている。また、球誘導路７２のうち奥側へと延びる途中部分からは、球排出路７３が側方に分岐している。なお、球排出路７３は、下方へ延びて図示しない遊技球回収装置と連絡している。
【００３８】
可動演出装置７０は、振分部材７４と球受入部材７１とを上下に並べて備えている。振分部材７４は、裏セット盤４１の左右方向の中央位置から左右両方向に延びた筒状をなし、内側に遊技球が１つだけ通過可能な球通過路を有している。また、振分部材７４は、左右方向の中心に回動軸部７４Ｊを有し、振分部材７４の右側端部に連結した直動部材７４Ａ（図６参照）が上下に駆動されることによって左右に傾動するようになっている。なお、本実施形態では、可動演出装置７０は、電話機の形状をなし、振分部材７４は受話器部分に、球受入部材７１は電話機本体部分に対応している。
【００３９】
振分部材７４の左側端部は球誘導路７２の下方に配置され、振分部材７４のうち回動軸部７４Ｊより左側位置には、球誘導路７２の前面開口７２Ａから排出された遊技球を下方から受け止め可能な球受容部７４Ｂが備えられている。そして、球受容部７４Ｂに受容された遊技球が振分部材７４の内部へ誘導されるようになっている。
【００４０】
また、図６に示すように、可動演出装置７０は、振分部材７４内に遊技球を１つずつ案内するための流下規制装置８０（本発明の「遊技構成体」に相当する）を球誘導路７２の下方に備えている。図９に示すように、流下規制装置８０は、下流ストッパ８２及び上流ストッパ８１を備え、それらストッパは共に球誘導路７２の底面に形成されたストッパ受容孔７２Ｂから球誘導路７２内へ進入可能になっている。
【００４１】
図１１に示すように、下流ストッパ８２は、遊技板１１と直交する回動軸Ｊ１を中心に回動可能であって回動軸Ｊ１から側方に拡がった略扇形をなし、その回動方向の一端部に、ストッパ受容孔７２Ｂから球誘導路７２内へ進入可能な下流規制片８２Ａを備えている。上流ストッパ８１は、正面から見た形状が鎌状になっていて、鎌の基端部が回動軸Ｊ１を中心に回動可能に構成され、鎌の先端部がストッパ受容孔７２Ｂから球誘導路７２内へ進入可能な上流規制片８１Ａになっている。
【００４２】
下流ストッパ８２と上流ストッパ８１の下方には、それらストッパを回動軸Ｊ１の回りに回動させるためのストッパ駆動部８３が備えられている。ストッパ駆動部８３は、ソレノイド８３Ｂと、ソレノイド８３Ｂが励磁されることにより上下方向に往復動する直動部材８３Ａとを備えている。ソレノイドが励磁されてない状態では、直動部材８３Ａが上端に配置され、下流規制片８２Ａは、図１０に示すように、ストッパ受容孔７２Ｂから球誘導路７２内に進入して、球誘導路７２内の遊技球が下流規制片８２Ａより下流側へ流下しないように規制する。また、この状態で、上流ストッパ８１は、回動軸Ｊ１から側方に延びるように配置され、上流規制片８１Ａが球誘導路７２の下方に配置されている。なお、図１０では、球誘導路７２が上下方向に半割された状態が示されている。
【００４３】
ソレノイド８３Ｂが励磁されて直動部材８３Ａがその直動ストロークの下端に配置されると、下流ストッパ８２が回動軸Ｊ１を中心として図１２の反時計回り方向に回動し、下流規制片８２Ａが球誘導路７２内から離脱する。これにより、下流規制片８２Ａによって流下を規制されていた遊技球が球誘導路７２内を流下して前面開口７２Ａ（図９参照）から排出されるようになる。
【００４４】
また、直動部材８３Ａが直動ストロークの下端に配置されると、上流ストッパ８１は回動軸Ｊ１を中心として、下流ストッパ８２と反対方向（図１２における時計回り方向）に回動し、上流ストッパ８１の上流規制片８１Ａがストッパ受容孔７２Ｂから球誘導路７２内に進入して遊技球の流下を規制する。詳細には、上流規制片８１Ａは、下流規制片８２Ａが球誘導路７２内から離脱するよりも前に球誘導路７２内に進入し、下流規制片８２Ａが球誘導路７２内に配置されていた位置よりも遊技球の直径とほぼ同じ長さだけ上流側の位置に配置される。これにより、下流規制片８２Ａによって遊技球が２個以上並んで流下を規制されていた場合であっても、最も下流側にある遊技球だけを流下させることができる。
【００４５】
図５に示すように、振分部材７４の左右の両端部には、前方に開口した第１排出口７５Ａと第２排出口７５Ｂが備えられ、振分部材７４の内部へ誘導された遊技球は、第１排出口７５Ａ又は第２排出口７５Ｂの何れか一方から排出されるようになっている。
【００４６】
第１排出口７５Ａの下方には、第１排出口７５Ａから排出された遊技球を球受入部材７１の前面に形成された第１入球口７７Ａへと案内する第１球誘導路７６Ａが配置されている。また、第２排出口７５Ｂの下方には、第２排出口７５Ｂから排出された遊技球を球受入部材７１の前面に形成された第２入球口７７Ｂへと案内する第２球誘導路７６Ｂが配置されている。
【００４７】
そして、可動演出装置７０は、例えば、遊技が遊技者に特典を付与するための条件を満たしている場合には、第１排出口７５Ａ又は第２排出口７５Ｂの何れか一方から遊技球が排出するように振分部材７４を傾動させて第１入球口７７Ａ又は第２入球口７７Ｂに遊技球を入球させ、特典を付与するための条件を満たしていない場合には、他方の入球口に遊技球が入球するように振分部材７４を傾動させる。このように、可動演出装置７０は、遊技が特典を付与するための条件を満たしているか否かについて、第１入球口７７Ａ又は第２入球口７７Ｂの何れか一方に遊技球を振り分けることで演出を行う。なお、遊技者に付与する特典の具体例としては、大当たりや確率変動等が挙げられる。
【００４８】
図７に示すように、流下規制装置８０の両側方には、１対の電飾基板６１，６１が備えられている。具体的には、裏セット板４０の主板壁４１から１対の基板取付部４５，４５が起立し、それら基板取付部４５，４５の対向面に形成された係合溝に電飾基板６１の両端部が前方から差し込まれることにより、電飾基板６１が主板壁４１に組み付けられている。また、主板壁４１のうち基板取付部４５，４５で挟まれる部分には、凹部４６（図８参照）が陥没形成され、電飾基板６１の後端部がその凹部４６内に受容されている。なお、各電飾基板６１は、可動演出装置７０によって前方へ抜け止めされている。
【００４９】
図１２に示すように、各電飾基板６１は、水平面に対して斜めに配置されている。具体的には、１対の電飾基板６１，６１のうち、正面から見たときに流下規制装置８０の左側に位置する電飾基板６１は、左端が上方に持ち上げられるように傾斜し、流下規制装置８０の右側に位置する電飾基板６１は、右端が上方に持ち上げられるように傾斜している。以下、１対の電飾基板６１，６１を区別する場合には、流下規制装置８０の左側の電飾基板６１を「左電飾基板６１Ｌ」、流下規制装置８０の右側の電飾基板６１を「右電飾基板６１Ｒ」と呼ぶことにする。
【００５０】
図１１に示すように、各電飾基板６１のうち上側を向いた面には、発光素子６０が実装されている。具体的には、発光素子６０は、発光面６０Ｍ（図１４参照）を有する箱形になっていて、発光面６０Ｍと反対側の面が電飾基板６１の上側を向いた面と略面一となるように固定され、発光面６０Ｍが、電飾基板６１と平行になっている。これにより、発光素子６０は、主として電飾基板６１と直交する方向に光を出射することができる。言い換えれば、発光素子６０は、電飾基板６１と直交する方向に指向性を有する光を出射可能になっている。
【００５１】
また、図１１に示すように、左電飾基板６１Ｌの後端部には、４つの発光素子６０が横並びに配置され、右電飾基板６１Ｒの後端部には、２つの発光素子６０が横並びに配置されている。そして、図１２に示すように、左電飾基板６１Ｌの発光素子６０は、主として右上方向に光を出射し、右電飾基板６１Ｒの発光素子６０は、主として左上方向に光を出射する。同図に示すように、左電飾基板６１Ｌ及び右電飾基板６１Ｒの発光素子６０からの光は、前方から見たときに、流下規制装置８０の上方で次述する透光表示体５２が配置された位置で交差する。この左右の電飾基板６１Ｌ，６１Ｒ、流下規制装置８０及び透光表示体５２の配置について別の見方をすれば、左右の電飾基板６１Ｌ，６１Ｒは、透光表示体５２と流下規制装置８０のそれぞれの中心部を結ぶ直線に対して傾斜させた、即ち、その直線と垂直な状態からその直線から離れた側の端部を透光表示体５２側へ傾斜させた状態に配置されている、といえる。つまり、電飾基板６１Ｌ，６１Ｒは、透光表示体５２に向けて発光素子６０の光が照射されるように傾斜している。このように傾斜させることで、本発明の「遊技構成体」に相当する流下規制装置８０を配置しても限られた収納空間内に電飾基板６１Ｌ，６１Ｒを配置することが可能であり、透光表示体５２も光らせることが可能である。
【００５２】
図５に示すように、球誘導路７２の後側上方には、本発明に係る透光表示体５２が備えられている。この透光表示体５２は、発光素子６０が出射した光を後述する板状光伝達部材５１が伝達することで点灯可能になっている。なお、透光表示体５２は、可動演出装置７０が遊技球を振り分ける演出を行っているときに点灯し、遊技が上述した「特定の遊技状態」であることを遊技者に報知するようになっている。
【００５３】
以下、板状光伝達部材５１及び透光表示体５２の具体的な構成について説明する。図１４に示すように、透光表示体５２は、板状光伝達部材５１の前面に重ねて備えられ、それら板状光伝達部材５１と透光表示体５２とで本発明に係る光透過表示部５０が構成されている。
【００５４】
図８に示すように、板状光伝達部材５１は、裏セット盤４０の主板壁４１の一部を構成し、裏表示窓４４の下方に配置されている。そして、板状光伝達部材５１の裏側に表示装置３０（図１参照）が配置されるようになっている。詳細には、板状光伝達部材５１は、裏表示窓４４より大きな矩形孔４１Ａを有する主板壁本体４１Ｈの前面に重ねて固定されている（図４参照）。
【００５５】
図１２に示すように、板状光伝達部材５１は、上流ストッパ８１及び下流ストッパ８２の回動軸Ｊ１より上側に配置された幅広部５１Ａと、幅広部５１Ａの下端部から斜め下方に延びた幅狭部５１Ｂとを備えている。なお、幅狭部５１Ｂの外縁部には、板状光伝達部材５１を主板壁本体４４Ｈ（図４参照）に固定するための取付片５１Ｃが設けられている。
【００５６】
幅広部５１Ａは、回動軸Ｊ１の上方位置で左右に広がっていて、幅狭部５１Ｂは、幅広部５１Ａのうち回動軸Ｊ１より左側の部分から、下方に向かうにつれて流下規制装置８０から離れるように延びている。そして、幅狭部５１Ｂの先端部が左電飾基板６１Ｌの後端部に突き合わされている。また、幅広部５１Ａの回動軸Ｊ１より右側部分と右電飾基板６１Ｒとの間に配置された主板壁本体４４Ｈは、透光部材で構成され、右電飾基板６１Ｒの発光素子６０からの光を幅広部５１Ａへと伝達可能になっている。
【００５７】
図１４に示すように、板状光伝達部材５１は、透光部材で構成された透明板５４と、透明板５４の裏面に施設されて前方に向かって光を反射可能な平面鏡５３とで構成されている。平面鏡５３は、金属層（例えば、アルミ層）を有するシートで構成され、透明板５４の裏面に張り合わされている。平面鏡５３は、図１３に示すように、透明板５４の裏面のほぼ全体を覆い、板状光伝達部材５１の裏側へ光が漏れ難くなっている。なお、図１４では、光透過表示部５０及び電飾基板６１が厚さ方向に拡大して示されている。
【００５８】
また、図１４に示すように、板状光伝達部材５１のうち下方を向いた板厚面５１Ｍは、発光素子６１と対向し、発光素子６０からの光が、透明板５４の端面に入射するようになっている。また、透明板５４の前方には、流下規制装置８０が配置されている。
【００５９】
詳細には、発光素子６０の前後方向（図１４における左右方向）の長さと板状光伝達部材５１の板厚とは、ほぼ同じ大きさになっていて、発光素子６０の後端が板状光伝達部材５１の板厚方向の中間位置に配置されている。これにより、透明板５４に入射せずに板状光伝達部材５１の裏側へ抜ける光の量を減らすことができる。
【００６０】
なお、板状光伝達部材５１が本発明の「光伝達部材」に相当し、その板厚面５１Ｍ（詳細には、透明板５４の端面）が本発明の「入射部」に相当する。また、平面鏡５３が本発明の「反射部」及び「反射部材」に相当する。
【００６１】
図１１に示すように、透光表示体５２は、幅広部５１Ａの上端部に配置されている。そして、図５に示すように、板状光伝達部材５１のうち透光表示体５２より下側の部分が、可動演出装置７０によって前方が覆われて遊技者から視認困難となっている。
【００６２】
透光表示体５２は、透光部材で構成された装飾枠体５２Ａと、装飾枠体５２Ａに囲まれた部分に受容されて固定されたメイン表示部５２Ｃとで構成されている。なお、本実施形態では、装飾枠体５２Ａと板状光伝達部材５１の透明板５４とは共に、透明な樹脂の射出成形品であって、装飾枠体５２Ａは、透明板５４と一体に成形されている。
【００６３】
装飾枠体５２Ａは、上下の辺部の幅よりも左右の辺部の幅が大きくなっていて、その左右の辺部には、遊技にちなんだキャラクター、シンボル等の装飾が施されたサブ表示部５２Ｄが備えられている。そして、この装飾により、サブ表示部５２Ｄの前方からは、平面鏡５３が視認困難となっている。なお、本実施形態では、サブ表示部５２Ｄの一例として、花の形状を象ったものが示されている。
【００６４】
メイン表示部５２Ｃは、前面の一部が不透明な部材で覆われ、前面の残りの部分から光が透過するようになっている。メイン表示部５２Ｃのうち光が透過する部分（図１２の黒く塗りつぶした部分）は、例えば、「○○チャンス」という文字の形状になっていて、これにより、メイン表示部５２Ｃは、上述の「特定の遊技状態」であることを報知するメッセージを点灯表示するようになっている。なお、ここで、少なくともメイン表示部５２Ｃは、本発明の「表示面」に相当する。
【００６５】
次に、板状光伝達部材５１による光の伝達について説明する。図１２及び図１４に示すように、左電飾基板６１Ｌの発光素子６０からの光は、板状光伝達部材５１の幅狭部５１Ｂのうち下方を向いた第１板厚面５１Ｍ１から透明板５４内に入射し、透明板５４内を右上方へ向かって進み、上述したように、前方から見た場合に、透明板５４内を透光表示体５２に向かって進む。
【００６６】
また、図１４に示すように、透明板５４内を伝達する光のうち透明板５４へ入射したときに前方へ向かっていた光の一部は、透明板５４内を上方に向かって進むにつれて前方へ進み、透光表示体５２の裏側に到達する。また、透明板５４へ入射したときに後方へ向かっていた光の一部は、平面鏡５３で反射して、透光表示体５２の裏側に到達する。このように、本実施形態では、透明板５４に入射したときに後方に向かって進む光の一部を透光表示体５２の裏側へ伝達することができるので、透光表示体５２を照射する光の光量を大きくすることが可能になる。
【００６７】
また、右電飾基板６１Ｒの発光素子６０からの光は、主板壁本体４１Ｈ（図４参照）の内部を透過し、板状光伝達部材５１の幅広部５１Ａのうち右側部分の下方を向いた第２板厚面５１Ｍ２から透明板５４内に入射する。透明板５４内に入射した光は、左電飾基板６１Ｌのときと同様に透明板５４内を伝達して、左上方へ向かって進み、上述したように、前方から見た場合に、透明板５４内を透光表示体５２に向かって進む。そして、右電飾基板６１Ｒの発光素子６０が、主として透光表示体５２の右側部分を照射し、残りの部分が、左電飾基板６１Ｌの発光素子６０によって照射される。これにより、透光表示体５２全体を一定以上の明るさに点灯させることが可能になる。なお、図１２〜図１４では、各電飾基板６１の発光素子６０が主として照射する範囲が楕円で概念的に表されている。
【００６８】
本実施形態に係る遊技機１０の構成に関する説明は以上である。次に、遊技機１０の作用効果について説明する。操作ノブ２８（図１参照）が操作されると、遊技球が遊技領域Ｒ１に打ち込まれる。ランダムに流下した遊技球の一部は、第１始動入賞口１４Ａ又は第２始動入賞口１４Ｂの何れか一方に入賞する。そして、その入賞に基づいて大当たり遊技の当否判定が行われ、その判定結果が当たりであると、可動扉１５Ｔを回動して大入賞口１５が所定期間に亘って開放され、通常時より、多量の賞球が上皿２６に払い出される。
【００６９】
また、遊技が「特定の遊技状態」となると、透光表示体５２が点灯して遊技者に「特定の遊技状態」であることを報知すると共に、上回動扉２２が回動して上入球口２２Ａに遊技球が入球可能となる。上入球口２２Ａに遊技球が入球すると、その遊技球は、表示装飾枠２３の図示しないワープ路、球誘導路７２を通って可動演出装置７０の振分部材７４に案内される。そして、可動演出装置７０は、第１入球口７７Ａ又は第２入球口７７Ｂの何れかに遊技球を振り分けることで、遊技者に特典を付与する条件が成立しているか否かを演出する。
【００７０】
ところで、透光表示体５２の裏側には、表示装置３０（図１参照）が配置されるため、従来の遊技機のように透光表示体５２の裏側に光源を配置することはスペースの関係上困難である。ここで、本実施形態の遊技機１０では、発光素子６０の光が板状光伝達部材５１の板厚面５１Ｍに入射して板状光伝達部材５１内を伝達することで、透光表示体５２を照射するように構成したので、透光表示体５２の裏側に発光素子６０を配置するスペースが必要なくなる。このように、本実施形態の遊技機１０では、透光表示体５２の配置の自由度を高めることが可能になる。しかも、透光表示体５２の側方で近接した位置に可動演出装置７０を配置したので、透光表示体５２に光を照射して特定の遊技状態であることを報知する演出と可動演出装置７０の動作による演出とを一体的に見せることが可能になる。さらに、可動演出装置７０の少なくとも一部を駆動させるための駆動源（ソレノイド８３Ｂ）を所望の位置に配置した上で透光表示体５２に光を照射することが可能であるので、駆動原の配置の自由度を高めることも可能になる。また、透光表示体５２の側方に所定間隔をあけた位置（本発明の「透光表示体から所定の間隔を置いた位置」に相当する）に可動演出装置７０の流下規制装置８０が配置されても、その流下規制装置８０と干渉しないように発光素子６０を配置することが可能になる。
【００７１】
また、発光素子６０を実装した電飾基板６１を、板状光伝達部材５１の側方の異なる２位置に配置したので、透光表示体５２全体を一定以上の明るさに点灯させることが可能になる。さらに、板状光伝達部材５１の板厚面５１Ｍから入射した光のうち後方に向かう光が平面鏡５３によって反射されるので、透光表示体５２を照射する光の光量を増やすことが可能になる。
【００７２】
このように、本実施形態の遊技機１０によれば、透光表示体５２の裏側に発光素子６０を配置する必要がなくなり、透光表示体５２の配置の自由度を高めることが可能になる。また、透光表示体５２全体を一定以上の明るさに点灯させることが可能になる。具体的には、透光表示体５２の表示面の表示幅方向（側方）に所定間隔をおいて遊技構成体を配置することにより、透光表示体５２と電飾基板６１との間が離れて配置された場合においても、板状光伝達部材５１の幅狭部５１Ｂを左電飾基板６１Ｌまで延設させたことにより左電飾基板６１Ｌからの光を幅狭部５１Ｂを介して透光表示体５２に照射して、透光表示体５２を光らせることができる。また、遊技構成体を透光表示体５２の左側側方に配置して、透光表示体５２を照射するには左電飾基板６１Ｌの光だけでは足りない場合においても、遊技構成体に対して左電飾基板６１Ｌと反対側に右電飾基板６１Ｒを配置しているため、透光表示体５２へ照射する光を右電飾基板６１Ｒからの光で補うことができる。
ここで、板状光伝達部材５１の幅狭部５１Ｂが右電飾基板６１Ｒにも突き合わされるように延設されていてもよい。このような構成とすれば、より透光表示体５２を光らせることが可能となる。なお、本発明の「近接」という文言は、物と物との間が極めて近い所定間隔を開けた状態を意味する。具体的には、遊技構成体と光透過表示部が近接しているとは、両者の間隔が、発光素子（電飾基板）を配置することができない程度に小さいことを意味し、光透過表示部と発光素子が近接しているとは、両者の間隔が、発光素子からの光が光伝達部材へ伝搬可能な程度に小さいことを意味する。また、「透光表示体の裏側」とは、本発明の「表示面」に対して遊技者が視認している側とは反対側のことを意味する。「前記光伝達部材は、前記表示面に沿って前記透光表示体に近接した位置から前記発光素子に近接した位置に亘って形成され」とは、「前記光伝達部材は、前記表示面に沿って前記透光表示体に近接した位置から前記発光素子に近接した位置のうち、発光素子と前記透光表示体とを結ぶ直線に沿った領域を含むように形成され」ていることを意味する。その中でも、光伝達部材は、透光表示体の発光素子が位置する側から、その発光素子へ向かって延びる直線に沿って延設させる方が好ましい。そのような構成とすれば、発光素子と透光表示体とに亘って形成される光伝達部材の長さが最短となることで光伝達部材の大きさを小さく形成することができ、収納部空間部内で光伝達部材が占めるスペースを小さくすることができ、結果として収納空間部全体の領域も小さくすることが可能となる。
【００７３】
なお、本実施形態を概念化すると、以下［１］〜［１５］の発明となる。
【００７４】
［１］光透過性を有する光透過表示部を備えた遊技機において、
前記光透過表示部の周囲に形成された収納空間部と、
前記収納空間部内で、前記光透過表示部の側方で近接した位置に配置された遊技構成体と、
前記遊技構成体の側方でかつ光透過表示部の側方で近接した位置に配置され、光を出射可能な発光素子とを備え、
前記光透過表示部は、前記発光素子の光を伝達可能に形成された光伝達部材と、前記光伝達部材に設けられた透光表示体とから少なくとも構成され、
前記発光素子は、出射した光が前記光伝達部材の入射部に入射されて前記光伝達部材内を伝達し、前記透光表示体を照射するように配置されたことを特徴とする遊技機。
【００７５】
［１］の構成とした場合、光透過表示部の側方に配置された発光素子の光が光伝達部材に入射して光伝達部内を伝達し、透光表示体を照射する。本発明によれば、透光表示体の裏側に発光素子を配置するスペースを形成する必要性が少なくなり、透光表示体の配置の自由度を高めることが可能になる。また、透光表示体の側方に遊技構成体が配置される場合であっても、その遊技構成体と干渉しないように発光素子を配置することが可能になる。
【００７６】
［２］前記光伝達部材には、前記光伝達部材の内部を伝達して前記透光表示体と反対側へ向かう光を前記透光表示体へ向けて反射可能な反射部が設けられたことを特徴とする［１］に記載の遊技機。
【００７７】
［２］の構成とした場合、光伝達部材から入射した光のうち透光表示体と反対側に向かう光を透光表示体に向けて反射させることができるので、透光表示体を照射する光の光量を増やすことが可能になる。
【００７８】
［３］前記反射部は、前記光伝達部材のうち前記透光表示体に形成された表示部側と反対側の面に設けられた反射部材であることを特徴とする［２］に記載の遊技機。  
【００７９】
［３］の構成とした場合、光伝達部材のうち透光表示体と反対側の面から光が漏れることが抑制可能である。
【００８０】
［４］互いに異なる方向に指向性を有する光を出射可能な複数の前記発光素子を、前記遊技構成体の側方でかつ前記光透過表示部の側方で近接した異なる複数の位置に配置したことを特徴とする［１］乃至［３］のうち何れかに記載の遊技機。
【００８１】
［４］の構成とした場合、遊技構成体の側方で近接した異なる２位置のうち、一方の位置に配置された発光素子では透光表示体全体を照射することができない場合であっても、その照射されていない部分を他方の位置に配置された発光素子によって照射することが可能になる。
【００８２】
［５］前記発光素子を実装した少なくとも１つの電飾基板を備え、
前記電飾基板を、前記透光表示体と前記遊技構成体とを結ぶ直線に対して前記透光表示体側に向けて傾斜させたことを特徴とする［１］乃至［４］のうち何れかに記載の遊技機。
【００８３】
［５］の構成とした場合、発光素子が出射する光の指向性を電飾基板ごとに調整することが可能になる。また、透光表示体側に向けて傾斜させたことにより、予め定められた収納空間部内に電飾基板を配置することが可能であり、かつ透光表示体を光らせることが可能である。
【００８４】
［６］前記透光表示体は、表示部が形成された表示面を備え、
前記遊技構成体は、前記表示面に沿って前記透光表示体から所定の間隔をおいた位置に配置され、
前記発光素子は、前記遊技構成体のうち前記透光表示体に近接した部分を除いた部分の側方に配置され、
前記光伝達部材は、前記表示面に沿って前記透光表示体に近接した位置から前記発光素子に近接した位置に亘って形成され、
前記入射部は、前記光伝達部材のうち前記発光素子に近接した部分に配置されたことを特徴とする［１］乃至［５］のうち何れかに記載の遊技機。
【００８５】
［６］の構成とした場合、透光表示体の表示面に沿って遊技構成体と発光素子と光伝達部材とを配置することが可能であり、透光表示体と発光素子との間隔が空いている場合においても光伝達部材を介して表示面を照射することが可能である。
【００８６】
［７］前記光透過表示部の側方で近接した位置に、遊技状態に応じて可動する可動演出装置を備え、
前記遊技構成体は、前記可動演出装置の少なくとも一部で可動する可動部を備えたことを特徴とする［１］乃至［６］のうち何れかに記載の遊技機。
【００８７】
［７］の構成とした場合、透光表示部の側方で近接した位置で可動演出装置による演出を行うことが可能になる。なお、上記実施形態のソレノイド８３Ｂが、［７］の構成における「可動部」に相当する。
【００８８】
［８］前記透光表示体は、前記発光素子からの光が照射されることにより、特定の遊技状態であることを報知する報知情報を表示可能に構成され、
前記可動演出装置は、前記特定の遊技状態で可動することを特徴とする［７］に記載の遊技機。
【００８９】
［８］の構成とした場合、透光表示体に光を照射して特定の遊技状態であることを報知する演出と、可動演出装置の動作による演出とを一体的に見せることが可能になる。
【００９０】
［９］板状をなして、一方の面が遊技者に対向すると共に板厚面が光源と対向し、前記板厚面から入射した光を前記一方の面に伝達して前記一方の面から光を照射可能な板状光伝達部材と、
光透過性を有すると共に前記板状光伝達部材の前記一方の面と遊技者との間に配置され、前記板状光伝達部材の前記一方の面から光が照射されることにより演出を行う透光表示体とを備えたことを特徴とする遊技機。
【００９１】
［９］の構成とした場合、透光表示体の裏側には、板状の板状光伝達部材が配置され、光源は板状光伝達部材の板厚面に対向配置されている。そして、光源の光が板状光伝達部材の板厚面に入射して一方の面に伝達され、板状光伝達部材の一方の面から照射された光が、その一方の面と遊技者との間に配置された透光表示体を照らして演出を行う。本発明によれば、透光表示体の裏側に光源を配置するスペースが必要なくなり、透光表示体の配置の自由度を高めることが可能になる。なお、上記実施形態の発光素子６０が、［９］の構成における「光源」に相当する。
【００９２】
［１０］前記板状光伝達部材のうち前記一方の面と反対側に位置する他方の面には、前記一方の面へ向けて光を反射可能な平面鏡が設けられたことを特徴とする［９］に記載の遊技機。
【００９３】
［１０］の構成とした場合、板状光伝達部材の板厚面から入射した光のうち一方の面と反対側に向かう光を一方の面に向けて反射させることができるので、透光表示体を照射する光の光量を増やすことが可能になる。また、板状光伝達部材の他方の面から光が漏れることが防がれる。
【００９４】
［１１］前記光源を複数備えると共に、それら複数の前記光源を前記板状光伝達部材の側方の複数位置に配置したことを特徴とする［９］又は［１０］に記載の遊技機。
【００９５】
［１１］の構成とした場合、一位置にある光源では透光表示体全体を照射することができない場合であっても、その照射されていない部分を別の位置にある光源によって照射することが可能になる。
【００９６】
［１２］前記透光表示体の側方に配置されて遊技を演出する遊技構成体を備え、
複数の前記光源を、前記透光表示体と前記遊技構成体とを結ぶ直線を挟む一方側と他方側の２位置に配置したことを特徴とする［１１］に記載の遊技機。
【００９７】
［１２］の構成とした場合、遊技構成体によって透光表示体の側方にスペースがない場合であっても、その遊技構成体と干渉しないように光源を配置することが可能になる。
【００９８】
［１３］複数の前記光源は、複数の電飾基板に実装された発光素子であって、
それら複数の前記電飾基板を、前記透光表示体と前記遊技構成体とを結ぶ直線に対して傾斜させたことを特徴とする［１２］に記載の遊技機。
【００９９】
［１３］の構成とした場合、異なる方向から板状光伝達部材に光を入射して透光表示体を照射することが可能になる。
【０１００】
［１４］前記透光表示体の側方で近接した位置に、遊技状態に応じて可動する可動演出装置を備え、
前記遊技構成体は、前記可動演出装置の少なくとも一部で可動する可動部を備えたことを特徴とする［１２］又は［１３］に記載の遊技機。
【０１０１】
［１４］の構成とした場合、透光表示部の側方で近接した位置で可動演出装置による演出を行うことが可能になる。
【０１０２】
［１５］前記透光表示体は、前記光源からの光が照射されることにより、特定の遊技状態であることを報知する報知情報を表示可能に構成され、
前記可動演出装置は、前記特定の遊技状態で可動することを特徴とする［１４］に記載の遊技機。
【０１０３】
［１５］の構成とした場合、透光表示体に光を照射して特定の遊技状態であることを報知する演出と可動演出装置の動作による演出とを一体的に見せることが可能になる。
【０１０４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【０１０５】
（１）上記実施形態では、発光素子６０の発光面６０Ｍが平面状であったが、球面状であってもよい。なお、上記実施形態によれば、発光素子６０が電飾基板６１の法線方向に指向性の高い光を照射できるので、板状光伝達部材５１の板厚面５１Ｍに入射する光の量を多くすることができる。
【０１０６】
（２）図１５に示すように、透光表示体５２と流下規制装置８０とを結ぶ直線に対して電飾基板６１を傾斜させずに、電飾基板６１に対して発光素子６０の発光面６０Ｍを傾斜させた構成であってもよい。
【０１０７】
（３）上記実施形態では、電飾基板６１を２つ備えていたが、１つだけ備えていてもよいし、３つ以上備えていてもよい。
【０１０８】
（４）上記実施形態では、透光表示体５２を照射する発光素子６０を複数備えていたが、発光素子６０を１つだけ備えた構成であってもよい。
【０１０９】
（５）図１６（Ａ）に示すように、光透過表示部５０Ｖの板状光伝達部材５１Ｖと直交する軸を中心に回動可能な回動部材８５Ｖを板状伝達部材５１Ｖと電飾基板６１との間に配置し、図１６（Ａ）から図１６（Ｂ）の変化に示すように、回動部材８５Ｖの回動によって発光素子６０が板状光伝達部材５１Ｖに入射する量が変化する構成としてもよい。なお、図１６（Ａ）及び図１６（Ｂ）において、回動部材８５Ｖを回転駆動する駆動源８０Ｖと回動部材８５Ｖとが、本発明の「遊技構成体」に相当する。
【０１１０】
（６）上記実施形態では、透光表示体５２は、板状光伝達部材５１の前面に重ねられていたが、図１７に示す光透過表示部５０Ｗの透光表示体５２Ｗのように、板状光伝達部材５１Ｗの内部に埋没させ、板状光伝達部材５１Ｗ内を伝達する光が透光表示体５２Ｗを裏側から照射するように構成してもよい。
【０１１１】
（７）上記実施形態では、本発明の「反射部」が平面鏡５３で構成されていたが、板状光伝達部材５１の裏面に凹凸状にして回折を利用した「反射部」を構成してもよいし、板状光伝達部材５１内に、透光表示体５２の配置された位置に焦点を有する凹面鏡を埋設して「反射部」を構成してもよい。
【０１１２】
（８）板状光伝達部材５１は幅広部５１Ａ、幅狭部５１Ｂを備えて構成されていたが、略同一の幅で構成されていてもよいし、左右対称などの形状でもよい。また、左電飾基板６１Ｌと同様に右電飾基板６１Ｒと板状光伝達部材５１の先端部が突き合わされていてもよい。
【符号の説明】
【０１１３】
１０    遊技機
５０，５０Ｖ，５０Ｗ    光透過表示部
５１，５１Ｖ，５１Ｗ    板状光伝達部材（光伝達部材）
５２，５２Ｗ    透光表示体
５３    平面鏡（反射部、反射部材）
６０    発光素子
６１    電飾基板
７０    可動演出装置
８０    流下規制装置（遊技構成体）
８３Ｂ    ソレノイド
【図４】
2013106651.tif 000003
【図５】
2013106651.tif 000004
【図６】
2013106651.tif 000005
【図７】
2013106651.tif 000006
【図８】
2013106651.tif 000007
【図９】
2013106651.tif 000008
【図１０】
2013106651.tif 000009
【図１１】
2013106651.tif 000010
【図１２】
2013106651.tif 000011
【図１３】
2013106651.tif 000012
【図１４】
2013106651.tif 000013
【図１５】
2013106651.tif 000014
【図１６】
2013106651.tif 000015
【図１７】
2013106651.tif 000016
【図１】
2013106651.tif 000017
【図２】
2013106651.tif 000018
【図３】
2013106651.tif 000019